(57)【要約】【課題】  粒子の移動方向が反転する場合に発生する色のちらつきを抑えられる表示装置及び、表示装置のプログラムを提供する。【解決手段】  制御部３０は、書換イベントに従って、表示部１０に表示される色を書き換える際、キーバッファ１に入力キーデータが記憶されているか否かで、通常書換波形で色を書き換えるか、高速書換波形で色を書き換えるかを判断する。【選択図】        図１１
2011215289.tif 000002
【特許請求の範囲】
【請求項１】
対向する１対の電極間に、第１の色を有し且つ、プラス極性の第１帯電粒子と、第２の色を有し且つ、マイナス極性の第２帯電粒子とが配置され、両電極間に電圧が印加されることにより第１帯電粒子及び第２帯電粒子の配置が変化し、第１の色と、第２の色と、第１の色と第２の色との混色である第３の色と、のいずれかの色の表示が可能な表示部と、
書換前の色から書換後の色へ前記表示部の色が書き換えられる第１書換過程において、前記表示部に表示される色の変化が第１変化曲線となるように定められた第１波形と、前記第１書換過程と同じ前記書換前の色から同じ前記書換後の色へ前記表示部の色が書き換えられる第２書換過程において、前記書換前の色から前記書換後の色まで変化する前記第１変化曲線の全長よりも、前記書換前の色から前記書換後の色まで変化する全長が短い第２変化曲線となるように定められた第２波形と、を記憶する波形記憶部と、
前記表示部に表示された色の書換を指示する書換指示が入力される入力部と、
前記入力部に入力された前記書換指示を記憶する書換指示記憶部と、
前記書換指示記憶部に記憶された前記書換指示を読み取る書換指示読取部と、
前記表示部に表示されている色を書き換える波形が、前記第１波形か前記第２波形かを判断する波形判断部と、
前記波形判断部によって判断した前記第１波形または前記第２波形と、前記書換指示読取部によって読み取られた前記書換指示とに従い、電圧を前記両電極に印加することにより、前記表示部に表示されている色を書き換える書換部と、
を備え、
前記波形判断部は、前記書換指示読取部によって読み取られた前記書換指示の次の前記書換指示が前記書換指示記憶部に記憶されていれば、前記表示部に表示されている色を書き換える波形は前記第２波形であると判断し、前記書換指示読取部によって読み取られた前記書換指示の次の前記書換指示が前記書換指示記憶部に記憶されていなければ、前記表示部に表示されている色を書き換える波形は前記第１波形であると判断すること
を特徴とする表示装置。
【請求項２】
請求項１に記載の表示装置において、
前記波形記憶部は、前記第１変化曲線が極値を持つように定められた前記第１波形と、前記第２変化曲線が前記極値を持たないように定められた前記第２波形とを記憶すること
を特徴とする表示装置。
【請求項３】
請求項２に記載の表示装置において、
前記波形記憶部は、前記第１変化曲線が極大値と極小値とを持つ場合には、前記極大値と前記極小値との差が第１反転量であるように定められ、前記第１変化曲線が前記極値を１つ持つ場合には、前記極値と前記書換前の色との差の絶対値と、前記極値と前記書換後の色との差の絶対値と、のいずれか一方の値が前記第１反転量であるように定められた前記第１波形を記憶し、
前記第１反転量は、前記表示部に表示される色が反転されたと認識される色の変化量である反転認識量よりも大きいこと
を特徴とする表示装置。
【請求項４】
請求項１に記載の表示装置において、
前記波形記憶部は、前記第１変化曲線が第１極大値と第１極小値とを持つように定められた前記第１波形と、前記第２変化曲線が、第２極大値と第２極小値とを持つように定められた前記第２波形と、を記憶し、
前記第２極大値と前記第２極小値との差である第３反転量は、前記第１極大値と前記第１極小値との差である第２反転量よりも小さいこと
を特徴とする表示装置。
【請求項５】
請求項４に記載の表示装置において、
前記波形記憶部は、前記第２反転量が、前記表示部に表示される色が反転されたと認識される反転認識量よりも大きい前記第１変化曲線となるように定められた第１波形と、前記第３反転量が、前記反転認識量よりも小さい前記第２変化曲線となるように定められた前記第２波形と、を記憶すること
を特徴とする表示装置。
【請求項６】
請求項３または５に記載の表示装置において、
前記書換前の色と前記書換後の色とは、前記第１の色から前記第２の色までの離散的な階調の色であって、
隣接する前記階調の色の間隔は、前記反転認識量以上であること
を特徴とする表示装置。
【請求項７】
請求項１から６のいずれかに記載の表示装置において、
前記書換指示が次ページ書換か前ページ書換かを判断する書換指示判断部と、
前記書換指示判断部が、前記書換指示読取部によって読み取られた前記書換指示は前記次ページ書換指示であると判断し、前記判断された書換指示の次の前記書換指示が前記前ページ書換指示であると判断した場合と、前記書換指示判断部が、前記書換指示読取部によって読み取られた前記書換指示が前ページ書換指示であると判断し、前記判断された書換指示の次の前記書換指示が次ページ書換指示であると判断した場合と、のいずれかの場合に前記書換部が前記書換指示読取部によって読み取られた前記書換指示に従い前記表示部に表示されている色を書き換えることを中止させる書換中止部と、
を備えたことを特徴とする表示装置。
【請求項８】
請求項１から７のいずれかに記載の表示装置において、
前記第２波形によって色が書き換えられる時間は、前記第１波形によって色が書き換えられる時間よりも短いこと
を特徴とする表示装置。
【請求項９】
対向する１対の電極間に、第１の色を有し且つ、プラス極性の第１帯電粒子と、第２の色を有し且つ、マイナス極性の第２帯電粒子とが配置され、両電極間に電圧が印加されることにより第１帯電粒子及び第２帯電粒子の配置が変化し、第１の色と、第２の色と、第１の色と第２の色との混色である第３の色と、のいずれかの色の表示が可能な表示部と、
書換前の色から書換後の色へ前記表示部の色が書き換えられる第１書換過程において、前記表示部に表示される色の変化が第１変化曲線となるように定められた第１波形と、前記第１書換過程と同じ前記書換前の色から同じ前記書換後の色へ前記表示部の色が書き換えられる第２書換過程において、前記書換前の色から前記書換後の色まで変化する前記第１変化曲線の全長よりも、前記書換前の色から前記書換後の色まで変化する全長が短い第２変化曲線となるように定められた第２波形と、を記憶する波形記憶部と、
前記表示部に表示された色の書換を指示する書換指示が入力される入力部と、
前記入力部に入力された前記書換指示を記憶する書換指示記憶部と、を備えた表示装置のコンピュータに、
前記書換指示記憶部に記憶された前記書換指示を読み取る書換指示読取ステップと、
前記表示部に表示されている色を書き換える波形が、前記第１波形か前記第２波形かを判断する波形判断ステップと、
前記波形判断ステップによって判断された前記第１波形または前記第２波形と、前記書換指示読取ステップによって読み取られた前記書換指示とに従い、前記表示部に表示されている色を書き換えるために電圧を前記両電極に印加する指令をする、書換ステップと、を行わせる表示装置のプログラムであって、
前記波形判断ステップは、前記書換指示読取ステップによって読み取られた前記書換指示の次の前記書換指示が前記書換指示記憶部に記憶されていれば、前記表示部に表示されている色を書き換える波形は前記第２波形であると判断し、前記書換指示読取ステップによって読み取られた前記書換指示の次の前記書換指示が前記書換指示記憶部に記憶されていなければ、前記表示部に表示されている色を書き換える波形は前記第１波形であると判断すること
を特徴とする表示装置のプログラム。
【発明の詳細な説明】
【技術分野】
【０００１】
本発明は、利用者の操作に従って、画像の書換を行う表示装置及び表示装置のプログラムに関するものである。
【背景技術】
【０００２】
従来、表示装置のディスプレイとして、２つの電極間に黒色帯電粒子及び白色帯電粒子を移動可能に収容した電気泳動ディスプレイがある。この電気泳動ディスプレイは、２つの電極に電圧が印加されることにより、黒色帯電粒子または白色帯電粒子が表示面側の電極の近傍に移動する。表示面側の電極の近傍に白色帯電粒子が移動した場合、白色が表示される。表示面側の電極の近傍に黒色帯電粒子が移動した場合、黒色が表示される。白色帯電粒子及び黒色帯電粒子が電極間の中間の位置に移動したときは、白色と黒色の混色であるグレーが表示される。この電気泳動ディスプレイの一例が、特許文献１に記載されている。
【０００３】
電気泳動ディスプレイを用いた表示装置に表示される画像は、表示装置に設けられた入力ボタンが押下されることによって書き換えられる。入力ボタンが押下されると、表示装置は、プラス電圧またはマイナス電圧を電極に印加し、電気泳動ディスプレイに表示されている画像を書き換える。
【先行技術文献】
【特許文献】
【０００４】
【特許文献１】特開２００６−１０６１１９号公報
【発明の概要】
【発明が解決しようとする課題】
【０００５】
しかし、書換前の色から書換後の色に書き換える際に、表示装置は、画面の残像を除去するために、途中で電極間の電界の向きを、一定時間の間反転させる処理を行うことがある。これにより、粒子の移動方向が反転する場合がある。この電界の向きが途中で反転している時間が長い場合には、白色帯電粒子及び、黒色帯電粒子の電極間における分布状態の変化により、電気泳動ディスプレイで表示される色がちらつく。たとえば、白色からグレーに表示が書き換えられる際には、グレーよりも黒色に近い濃いグレーが一度表示されてからグレーに書き換えられる。従って、白色から濃いグレーが表示されるまでは明度が下がり、濃いグレーからグレーが表示されるまでは明度が上がる。この明度の上下により、ディスプレイがちらついて見えるといった課題がある。特に、ユーザが連続して表示を書き換えるために入力ボタンを連続して押すことが考えられる。連続して表示が書き換えられると、色のちらつきが連続して起こるので、特にディスプレイがちらついて見える。
【０００６】
本発明は、上述した問題点を解決するためになされたものであり、表示の書き換えにおいて帯電粒子の電極間における分布状態の変化による色のちらつきが抑えられる表示装置、及び表示装置のプログラムを提供することを目的とする。
【課題を解決するための手段】
【０００７】
上記目的を達成するために、請求項１記載の本発明は、対向する１対の電極間に、第１の色を有し且つ、プラス極性の第１帯電粒子と、第２の色を有し且つ、マイナス極性の第２帯電粒子とが配置され、両電極間に電圧が印加されることにより第１帯電粒子及び第２帯電粒子の配置が変化し、第１の色と、第２の色と、第１の色と第２の色との混色である第３の色と、のいずれかの色の表示が可能な表示部と、書換前の色から書換後の色へ前記表示部の色が書き換えられる第１書換過程において、前記表示部に表示される色の変化が第１変化曲線となるように定められた第１波形と、前記第１書換過程と同じ前記書換前の色から同じ前記書換後の色へ前記表示部の色が書き換えられる第２書換過程において、前記書換前の色から前記書換後の色まで変化する前記第１変化曲線の全長よりも、前記書換前の色から前記書換後の色まで変化する全長が短い第２変化曲線となるように定められた第２波形と、を記憶する波形記憶部と、前記表示部に表示された色の書換を指示する書換指示が入力される入力部と、前記入力部に入力された前記書換指示を記憶する書換指示記憶部と、前記書換指示記憶部に記憶された前記書換指示を読み取る書換指示読取部と、前記表示部に表示されている色を書き換える波形が、前記第１波形か前記第２波形かを判断する波形判断部と、前記波形判断部によって判断した前記第１波形または前記第２波形と、前記書換指示読取部によって読み取られた前記書換指示とに従い、電圧を前記両電極に印加することにより、前記表示部に表示されている色を書き換える書換部と、を備え、前記波形判断部は、前記書換指示読取部によって読み取られた前記書換指示の次の前記書換指示が前記書換指示記憶部に記憶されていれば、前記表示部に表示されている色を書き換える波形は前記第２波形であると判断し、前記書換指示読取部によって読み取られた前記書換指示の次の前記書換指示が前記書換指示記憶部に記憶されていなければ、前記表示部に表示されている色を書き換える波形は前記第１波形であると判断することを特徴とするものである。
【０００８】
上記目的を達成するために、請求項２記載の本発明は、請求項１に記載の表示装置において、前記波形記憶部は、前記第１変化曲線が極値を持つように定められた前記第１波形と、前記第２変化曲線が前記極値を持たないように定められた前記第２波形とを記憶することを特徴とするものである。
【０００９】
上記目的を達成するために、請求項３記載の本発明は、請求項２に記載の表示装置において、前記波形記憶部は、前記第１変化曲線が極大値と極小値とを持つ場合には、前記極大値と前記極小値との差が第１反転量であるように定められ、前記第１変化曲線が前記極値を１つ持つ場合には、前記極値と前記書換前の色との差の絶対値と、前記極値と前記書換後の色との差の絶対値と、のいずれか一方の値が前記第１反転量であるように定められた前記第１波形を記憶し、前記第１反転量は、前記表示部に表示される色が反転されたと認識される色の変化量である反転認識量よりも大きいことを特徴とするものである。
【００１０】
上記目的を達成するために、請求項４記載の本発明は、請求項１に記載の表示装置において、前記波形記憶部は、前記第１変化曲線が第１極大値と第１極小値とを持つように定められた前記第１波形と、前記第２変化曲線が、第２極大値と第２極小値とを持つように定められた前記第２波形と、を記憶し、前記第２極大値と前記第２極小値との差である第３反転量は、前記第１極大値と前記第１極小値との差である第２反転量よりも小さいこと
を特徴とするものである。
【００１１】
上記目的を達成するために、請求項５記載の本発明は、請求項４に記載の表示装置において、前記波形記憶部は、前記第２反転量が、前記表示部に表示される色が反転されたと認識される反転認識量よりも大きい前記第１変化曲線となるように定められた第１波形と、前記第３反転量が、前記反転認識量よりも小さい前記第２変化曲線となるように定められた前記第２波形と、を記憶することを特徴とするものである。
【００１２】
上記目的を達成するために、請求項６記載の本発明は、請求項３または５に記載の表示装置において、前記書換前の色と前記書換後の色とは、前記第１の色から前記第２の色までの離散的な階調の色であって、隣接する前記階調の色の間隔は、前記反転認識量より大きいことを特徴とするものである。
【００１３】
上記目的を達成するために、請求項７記載の本発明は、請求項１から６のいずれかに記載の表示装置において、前記書換指示が次ページ書換か前ページ書換かを判断する書換指示判断部と、前記書換指示判断部が、前記書換指示読取部によって読み取られた前記書換指示は前記次ページ書換指示であると判断し、前記判断された書換指示の次の前記書換指示が前記前ページ書換指示であると判断した場合と、前記書換指示判断部が、前記書換指示読取部によって読み取られた前記書換指示が前ページ書換指示であると判断し、前記判断された書換指示の次の前記書換指示が次ページ書換指示であると判断した場合と、のいずれかの場合に前記書換部が前記書換指示読取部によって読み取られた前記書換指示に従い前記表示部に表示されている色を書き換えることを中止させる書換中止部と、を備えたことを特徴とするものである。
【００１４】
上記目的を達成するために、請求項８記載の本発明は、請求項１から７のいずれかに記載の表示装置において、前記第２波形によって色が書き換えられる時間は、前記第１波形によって色が書き換えられる時間よりも短いことを特徴とするものである。
【００１５】
上記目的を達成するために、請求項９記載の本発明は、対向する１対の電極間に、第１の色を有し且つ、プラス極性の第１帯電粒子と、第２の色を有し且つ、マイナス極性の第２帯電粒子とが配置され、両電極間に電圧が印加されることにより第１帯電粒子及び第２帯電粒子の配置が変化し、第１の色と、第２の色と、第１の色と第２の色との混色である第３の色と、のいずれかの色の表示が可能な表示部と、書換前の色から書換後の色へ前記表示部の色が書き換えられる第１書換過程において、前記表示部に表示される色の変化が第１変化曲線となるように定められた第１波形と、前記第１書換過程と同じ前記書換前の色から同じ前記書換後の色へ前記表示部の色が書き換えられる第２書換過程において、前記書換前の色から前記書換後の色まで変化する前記第１変化曲線の全長よりも、前記書換前の色から前記書換後の色まで変化する全長が短い第２変化曲線となるように定められた第２波形と、を記憶する波形記憶部と、前記表示部に表示された色の書換を指示する書換指示が入力される入力部と、前記入力部に入力された前記書換指示を記憶する書換指示記憶部と、を備えた表示装置のコンピュータに、前記書換指示記憶部に記憶された前記書換指示を読み取る書換指示読取ステップと、前記表示部に表示されている色を書き換える波形が、前記第１波形か前記第２波形かを判断する波形判断ステップと、前記波形判断ステップによって判断された前記第１波形または前記第２波形と、前記書換指示読取ステップによって読み取られた前記書換指示とに従い、前記表示部に表示されている色を書き換えるために電圧を前記両電極に印加する指令をする、書換ステップと、を行わせる表示装置のプログラムであって、前記波形判断ステップは、前記書換指示読取ステップによって読み取られた前記書換指示の次の前記書換指示が前記書換指示記憶部に記憶されていれば、前記表示部に表示されている色を書き換える波形は前記第２波形であると判断し、前記書換指示読取ステップによって読み取られた前記書換指示の次の前記書換指示が前記書換指示記憶部に記憶されていなければ、前記表示部に表示されている色を書き換える波形は前記第１波形であると判断することを特徴とする表示装置のプログラムである。
【発明の効果】
【００１６】
請求項１に記載の表示装置によれば、波形判断部は、書換指示読取部によって読み取られた書換指示の次の書換指示が書換指示記憶部に記憶されていれば、表示部に表示されている色を書き換える波形は第２波形であると判断する。波形判断部は、書換指示読取部によって読み取られた書換指示の次の書換指示が書換指示記憶部に記憶されていなければ、表示部に表示されている色を書き換える波形は第１波形であると判断する。第１変化曲線の全長は第２変化曲線の全長よりも長い。従って、第２波形で色を書き換えるよりも第１波形で色を書き換えた方が、対向する一対の電極間に配置される粒子の位置の詳細な制御を行うことができる。これにより、残像のすくない表示を行うことができる。よって、表示部に表示されている色が第１波形に従って書き換えられた場合は、表示部に表示されていた色の残像が消されることになる。第２変化曲線の全長は第１変化曲線の全長よりも短い。従って、表示部に表示されている色が第２波形に従って書き換えられた場合は、第１帯電粒子及び、第２帯電粒子の電極間における分布状態の変化による色のちらつきが、第１波形により色が書き換えられ場合よりも抑えられる。書換指示が連続して入力された場合、書換部は、連続して入力された書換指示の内、最後に入力された書換指示以外の書換指示に従い、色のちらつきが抑えられる第２波形で色を書き換える。書換部は、連続して入力された書換指示の内、最後に入力された書換指示に従い、残像が消される第１波形で色を書き換える。よって、連続して書換指示が入力部に入力された場合、第１波形に従い、色を書き換える回数を減らすことが出来る。これにより、第１帯電粒子及び、第２帯電粒子の電極間における分布状態の変化による色のちらつきを抑えることが出来る。
【００１７】
請求項２に記載の表示装置によれば、第１変化曲線が極値を持つように定められた第１波形により色が書き換えられる。第２変化曲線が極値を持たないように定められた第２波形により色が書き換えられる。従って、第１波形に従い、色が書き換えられた場合は、第１帯電粒子の移動方向と第２帯電粒子の移動方向とが第１書換過程において反転する。よって、変化曲線が極値を持たないように定められた波形で色が書き換えられる場合よりも、第１波形による書き換えは残像をよく消すことができる。さらに第２変化曲線が極値を持たないように定められた第２波形により色が書き換えられた場合は、第１帯電粒子の移動方向と第２帯電粒子の移動方向とが第２書換過程において反転しない。よって、変化曲線が極値をもつように定められた波形に従い、色が書き換えられる場合よりも、第２波形による書き換えは第２書換過程における色の変化を小さくすることが出来る。これにより、第１帯電粒子及び、第２帯電粒子の電極間における分布状態の変化による色のちらつきを抑えることが出来る。
【００１８】
請求項３に記載の表示装置によれば、第１変化曲線が反転認識量よりも大きい第１反転量をもつように定められた第１波形に従い、色が書き換えられる。従って、第１変化曲線が極大値と極小値とを持つ場合には、第１帯電粒子の移動方向と第２帯電粒子の移動方向とが極大値をとる時点と極小値をとる時点との間で反転する。第１変化曲線が極値を１つ持つ場合には、第１帯電粒子の移動方向と第２帯電粒子の移動方向とが書換前から極値をとる時点までの間、または極値をとる時点から書換後までの間で反転する。この第１帯電粒子の移動方向と第２帯電粒子の移動方向とが反転している時点における第１反転量が反転認識量よりも大きいので、変化曲線が反転認識量よりも小さい反転量を持つように定められた波形に従い色が書き換えられるよりも、第１波形による書き換えは残像をより消すことが出来る。
【００１９】
請求項４に記載の表示装置によれば、第３反転量が第２反転量よりも小さいので、第３反転量が第２反転量よりも大きいように定められた波形に従い、書換指示が記憶されている状態で色が書き換えられるよりも、第２波形による書き換えは、第１帯電粒子及び、第２帯電粒子の電極間における分布状態の変化による色のちらつきを抑えることが出来る。
【００２０】
請求項５に記載の表示装置によれば、第２反転量は反転認識量よりも大きく、第３反転量は反転認識量よりも小さい。従って、変化曲線が反転認識量よりも小さい第２反転量をもつように定められた波形に従い、色が書き換えられるよりも、第１波形による書き換えは残像をより消すことが出来る。変化曲線が反転認識量よりも大きい第３反転量をもつように定められた波形により色が書き換えられるよりも、第２波形による書き換えは第２書換過程における色の変化を抑えることができる。これにより、第１帯電粒子及び、第２帯電粒子の電極間における分布状態の変化による色のちらつきを抑えることが出来る。
【００２１】
請求項６に記載の表示装置によれば、隣接する前記階調の色の間隔は、前記反転認識量以上であるので、隣接する階調の色の間隔が反転認識量未満であるように定められた第２波形に従い色が書き換えられるよりも第２書換過程における色の変化を抑えることができる。これにより、第１帯電粒子及び、第２帯電粒子の電極間における分布状態の変化による色のちらつきを抑えることが出来る。
【００２２】
請求項７に記載の表示装置によれば、書換指示判断部は、書換指示読取部によって読み取られた書換指示が次ページ書換指示であると判断し、書換指示判断部が判断した書換指示の次の書換指示が前ページ書換指示であると判断する場合がある。書換指示判断部は書換指示読取部によって読み取られた書換指示が前ページ書換指示であると判断し、書換指示判断部が判断した書換指示の次の書換指示が前ページ書換指示であると判断する場合がある。この２つの場合において、書換中止部は、前記書換部が前記書換指示読取部によって読み取られた前記書換指示に従い前記表示部に表示されている色を書き換えることを中止させる。従って、第２波形で色を書き換える回数を減らすことが出来る。これにより、これにより、第１帯電粒子及び、第２帯電粒子の電極間における分布状態の変化による色のちらつきを抑えることが出来る。
【００２３】
請求項８に記載の表示装置によれば、第２波形に従い、色が書き換えられる時間は、第１波形に従い、色が書き換えられる時間よりも短い。従って、入力部に連続して入力された書換指示の内、最後の書換指示に従い、書き換えられる色が表示されるまでの時間を短くすることが出来る。
【００２４】
請求項９に記載の表示装置によれば、波形判断ステップは、書換指示読取ステップによって読み取られた書換指示の次の書換指示が書換指示記憶部に記憶されていれば、表示部に表示されている色を書き換える波形は第２波形であると判断する。波形判断ステップは、書換指示読取ステップによって読み取られた書換指示の次の書換指示が書換指示記憶部に記憶されていなければ、表示部に表示されている色を書き換える波形は第１波形であると判断する。第１変化曲線の全長は第２変化曲線の全長よりも長い。従って、第２波形で色を書き換えるよりも第１波形で色を書き換えた方が、対向する一対の電極間に配置される粒子の位置の詳細な制御を行うことができる。これにより、残像のすくない表示を行うことができる。よって、表示部に表示されている色が第１波形に従って書き換えられた場合は、表示部に表示されていた色の残像が消されることになる。第２変化曲線の全長は第１変化曲線の全長よりも短い。従って、表示部に表示されている色が第２波形に従って書き換えられた場合は、第１帯電粒子及び、第２帯電粒子の電極間における分布状態の変化による色のちらつきが、第１波形により色が書き換えられ場合よりも抑えられる。書換指示が連続して入力された場合、書換部は、連続して入力された書換指示の内、最後に入力された書換指示以外の書換指示に従い、色のちらつきが抑えられる第２波形で色を書き換える。書換ステップは、連続して入力された書換指示の内、最後に入力された書換指示に従い、残像が消される第１波形で色を書き換える。よって、連続して書換指示が入力部に入力された場合、第１波形に従い、色を書き換える回数を減らすことが出来る。これにより、第１帯電粒子及び、第２帯電粒子の電極間における分布状態の変化による色のちらつきを抑えることが出来る。
【図面の簡単な説明】
【００２５】
【図１】表示装置１の正面図である。
【図２】図１のＡ−Ａ方向の断面の概略図である。
【図３】表示装置１のハードウェアの構成を示すブロック図である。
【図４】ＲＯＭ３３の記憶領域の構成を示した図である。
【図５】ＲＡＭ３２の記憶領域の構成を示した図である。
【図６】メモリカード４１の記憶領域の構成を示した図である。
【図７】波形記憶部６０の記憶領域の構成を示した図である。
【図８】（Ａ）表示部１０の色を「白色」から「白色」へ書き換える通常書換波形の波形図である。（Ｂ）表示部１０の色を「白色」から「白色」へ書き換える高速書換波形の波形図である。（Ｃ）表示部１０の色が「白色」から「白色」へ書き換えられた場合の表示部１０に表示される色の明度の変化を表した図である。
【図９】（Ａ）表示部１０の色を「白色」から「黒色」へ書き換える通常書換波形の波形図である。（Ｂ）表示部１０の色を「白色」から「黒色」へ書き換える高速書換波形の波形図である。（Ｃ）表示部１０の色が「白色」から「黒色」へ書き換えられた場合の表示部１０に表示される色の明度の変化を表した図である。
【図１０】（Ａ）表示部１０の色を「白色」から「ライトグレイ４」へ書き換える通常書換波形の波形図である。（Ｂ）表示部１０の色を「白色」から「ライトグレイ４」へ書き換える高速書換波形の波形図である。（Ｃ）表示部１０の色が「白色」から「ライトグレイ４」へ書き換えられた場合の表示部１０に表示される色の明度の変化を表した図である。
【図１１】（Ａ）表示部１０の色を「白色」から「ダークグレイ７」へ書き換える通常書換波形の波形図である。（Ｂ）表示部１０の色を「白色」から「ライトグレイ７」へ書き換える高速書換波形の波形図である。（Ｃ）表示部１０の色が「白色」から「ダークグレイ７」へ書き換えられた場合の表示部１０に表示される色の明度の変化を表した図である。
【図１２】表示部１０の構成を示した図である。
【図１３】制御部３０の全体処理の手順を示すフローチャートである。
【図１４】制御部３０の入力キーデータ取得タスクの手順を示すフローチャートである。
【図１５】制御部３０の全体処理の手順を示すフローチャートである。
【図１６】制御部３０の全体処理の手順を示すフローチャートである。
【図１７】制御部３０の全体処理の手順を示すフローチャートである。
【発明を実施するための形態】
【００２６】
以下、本発明の一実施形態について図面を参照して説明する。
【００２７】
＜表示装置の基本構造＞
図１を参照して、本実施形態に係る表示装置１の外観構成を説明する。図１は、表示装置１の正面図である。図１に示したように、表示部１０が、表示装置１の正面に配置される。表示部１０は、周知のアクティブマトリクス方式の電気泳動型の表示ディスプレイである。表示部１０は、後述するページ画像データに基づき、文字、記号及び図形を含む画像であるページ画像を表示する。表示部１０は、電力供給が断たれても表示状態を保持することが可能である。
【００２８】
入力部２０が表示部１０の右側に配置される。入力部２０は、利用者が電源のオン、または、電源のオフを指示する際に押下する電源キー２１と、表示装置１の電源オン中に利用者が所定の指示を入力するための複数の入力キー２２と、を有する。複数の入力キー２２は、メニューキー２３と、閉じるキー２４と、前キー２５と、次キー２６と、１３個の選択キー２７と、決定キー２８とを有する。入力キー２２が押下されると、表示装置１は、押下された入力キー２２の種類と、表示中の画像とに応じて画像を書き換える。
【００２９】
メニューキー２３は、メニュー画面を表示させるとき等に利用者が押下するキーである。閉じるキー２４は、表示中の後述するページ画像を閉じるとき等に押下するキーである。前キー２５は、表示中のページ画像を前のページ画像に書き換えるとき等に押下するキーである。次キー２６は、表示中のページ画像を次のページ画像に書き換えるとき等に押下するキーである。選択キー２７は、メニュー画面において表示中のメニュー項目を選択するとき等に押下するキーである。決定キー２８は後述する文書ファイルを決定するときに押下するキーである。
【００３０】
＜表示部の基本構造＞
図２を参照して、表示部１０の具体的構成について説明する。図２は図１のＡ−Ａ方向の断面の概略図である。尚、図２においては、画素電極１２から透明電極１４へ向かう方向が上方向である。透明電極１４から画素電極１２へ向かう方向が下方向である。図２に示したように、基板１１が、表示部１０の下側に配置される。複数の画素電極１２が、基板１１上に配置される。マイクロカプセル１３が画素電極１２上にそれぞれ配置される。表示部１０に備えられるマイクロカプセル１３を覆って、透明電極１４がマイクロカプセル１３上に配置される。透明基板１５が透明電極１４上に配置される。電圧が各画素電極１２と透明電極１４とに印加されることにより、表示部１０の表示が変化する。尚、表示部１０の各画素は各画素電極１２に対応している。電極画素電極１２と透明電極１４とが本発明の対向する一対の電極の一例である。
【００３１】
マイクロカプセル１３は、複数の白色帯電粒子１３Ａと複数の黒色帯電粒子１３Ｂと分散媒１３Ｃとから構成される。白色帯電粒子１３Ａは、マイナス極性を有している。黒色帯電粒子１３Ｂはプラス極性を有している。白色帯電粒子１３Ａと黒色帯電粒子１３Ｂと分散媒１３Ｃとは比重が略同じである。電圧が画素電極１２及び透明電極１４に印加されると、白色帯電粒子１３Ａと黒色帯電粒子１３Ｂとの分布が変化し、表示部１０に表示される色が変化する。黒色帯電粒子１３Ｂと白色帯電粒子１３Ａとがそれぞれ本発明の第１帯電粒子と第２帯電粒子とである。
【００３２】
本実施形態では、透明電極１４は図示しない電源に接続され、所定の電圧が印加される。この電圧は例えば１ボルトである。プラス電圧が画素電極１２に印加されると、白色帯電粒子１３Ａが画素電極１２側へ移動し、黒色帯電粒子１３Ｂが透明電極１４側へ移動する。従って黒色が表示部１０の透明基板１５側に表示される。マイナス電圧が画素電極１２に印加されると、黒色帯電粒子１３Ｂが画素電極１２側へ移動し、白色帯電粒子１３Ａが透明電極１４側へ移動する。従って、白色が表示部１０の透明基板１５側に表示される。プラス電圧を画素電極１２に印加した後に、マイナス電圧を印加すると、透明電極１４側に移動した黒色帯電粒子１３Ｂは、画素電極１２側と透明電極１４側との中間位置に移動する。プラス電圧を印加した後、マイナス電圧を印加することにより、白色と黒色との混色による中間調の色が表示部１０に表示される。マイナス電圧を画素電極２２に印加した後に、プラス電圧を印加すると、透明電極１４側に移動した白色帯電粒子１３Ａは画素電極１２側と透明電極１４側との中間位置に移動する。マイナス電圧を印加した後にプラス電圧を印加することにより、白色と黒色との混色による中間調の色が表示部１０に表示される。つまり、マイクロカプセル１３内の各帯電粒子の分布状態によって、表示部１０に表示される色が異なる。黒色と白色とが、それぞれ本発明の第１の色と第２の色とである。中間調の色が本発明の第３の色である。プラス電圧は例えば＋５０ボルトである。マイナス電圧は例えば−５０ボルトである。
【００３３】
＜表示装置のハードウェア構成＞
図３を参照し、表示装置１のハードウェアの構成について説明する。図３は、表示装置１のハードウェアの構成を示すブロック図である。図３に示したように、表示装置１は、表示部１０と、入力部２０と、制御部３０（書換指示読取部、波形判断部、書換部、書換中止部）と、メモリカードインタフェース４０と、表示コントローラ５０と、波形記憶部６０と、により構成される。メモリカード４１は、メモリカードインタフェース４０を介して表示装置１に接続される。メモリカード４１は、表示装置１に着脱可能に備えられる。
【００３４】
制御部３０は、ＣＰＵ３１とＲＡＭ３２とＲＯＭ３３とタイマー３４とを備える。ＣＰＵ３１とＲＡＭ３２とＲＯＭ３３とタイマー３４とがそれぞれ協働して後述の各処理を実行する。制御部３０は表示装置１の各周辺機器を制御する。
【００３５】
ＣＰＵ３１は、ＲＯＭ３３に記憶されたプログラムに従って、表示装置１の各周辺機器を制御する。
【００３６】
ＲＯＭ３３は、後述の全体処理等のプログラムを記憶している。ＲＯＭ３３は、不揮発性の記憶装置である。図４はＲＯＭ３３の記憶領域の構成を示した図である。図４に示したように、ＲＯＭ３３は記憶領域３３１と記憶領域３３２との２つの記憶領域を備える。全体処理プログラムＰ１が記憶領域３３１に記憶される。入力キーデータ取得タスクプログラムＰ２が記憶領域３３２に記憶される。
【００３７】
全体処理プログラムＰ１は、表示装置１の全体処理を実行させるプログラムである。全体処理プログラムＰ１は、表示部１０に表示されている画像を書き換える場合、メモリカード４１に記憶されているページ画像データを読み出し、読み出したページ画像データと後述する現表示色データＤ１とから画素毎に書換前の色と書換後の色とを示した差分データを作るプログラムを含む。全体処理プログラムＰ１は、書換モードが通常書換モードか高速書換モードかを設定するプログラムを含む。ここで、通常書換モードとは、表示部１０に表示されている色を通常書換波形で書き換えるモードである。高速書換モードとは、表示部１０に表示されている色を高速書換波形で書き換えるモードである。入力キーデータ取得タスクプログラムＰ２は、入力部２０の入力に従って入力キーデータを書換指示記憶部３２１に記憶させるプログラムである。
【００３８】
図５はＲＡＭ３２の記憶領域の構成を示した図である。図５に示したように、ＲＡＭ３２は書換指示記憶部３２１と表示データ記憶部３２２とを有する。ＲＡＭ３２は揮発性の記憶装置である。書換指示記憶部３２１は、入力部２０において押下された入力キー２２に応じた信号に対応する入力キーデータを入力された順に一時的に記憶する記憶領域である。書換指示記憶部３２１はキーバッファ１とキーバッファ２とキーバッファ３とを有する。
【００３９】
表示データ記憶部３２２は、例えば、ＣＰＵ３１が処理を実行する際にＲＯＭ３３に記憶されたプログラムや各処理を実行する際に必要なデータを一時的に記憶する記憶領域である。表示データ記憶部３２２は、現表示色データＤ１を記憶する。現表示色データＤ１は、表示部１０に現在表示されている画像の各画素の色を表すデータである。表示データ記憶部３２２はキーバッファ１に記憶された入力キーデータを記憶する。
【００４０】
タイマー３４は、ＣＰＵ３１から計時開始の制御信号を受信すると、計時を開始する。また、タイマー３４は、ＣＰＵ３１から計時終了の制御信号を受信すると、計時を終了する。
【００４１】
入力部２０は、上述したように電源キー２１と、複数の入力キー２２とを備える。入力部２０は押下された入力キー２２に応じた電気信号を制御部３０へ出力する。これにより制御部３０は、入力キー２２が押下されたか否かを判断することができる。さらに、制御部３０は、入力された電気信号に基づいていずれの入力キー２２が押下されたのかを判断することが出来る。
【００４２】
図６はメモリカード４１の記憶領域の構成を示した図である。図６に示したように、メモリカード４１は、表示装置１で表示可能なデータファイルである複数の文書ファイル４１０を記憶する。文書ファイル４１０は、タイトルデータ４１０Ｔと、文書のページの数だけのページデータと備える。ページデータの一例として文章の１ページ目のページデータであるページ１データ４１１Ａを挙げて説明する。ページ１データ４１１Ａはページ番号データ４１１Ｂとページ画像データ４１１Ｃとを備える。ページ１番号データはページ１のページ番号を示すデータである。ページ１画像データ４１１Ｃは、そのページのページ画像を示すデータである。
【００４３】
表示コントローラ５０は、制御部３０から差分データと書換モードデータとを受信する。表示コントローラ５０は、差分データと書換モードデータとに基づいて、後述する波形記憶部６０に記憶された波形データを読み出す。表示コントローラ５０は、読み出した波形データに基づいて、ゲートドライバ１６とソースドライバ１７とが各画素電極１２に印加する電圧の波形を特定する。表示コントローラ５０は特定した波形の電圧の印加をゲートドライバ１６とソースドライバ１７とに指令する。
【００４４】
波形記憶部６０は、不揮発性の記憶装置である。図７は波形記憶部６０の記憶領域の構成を示した図である。図７に示したように、波形記憶部６０は書換波形テーブルＴ１を記憶する。書換波形テーブルＴ１は、書換前の色と、書換後の色との組み合わせに対応した通常書換波形データ及び高速書換波形データを記憶している。本実施形態では書換前の色と書換後の色とは「白色」と、「黒色」と、１４種類の中間の色から設定される。説明の便宜上、書換前の色と書換後の色とは、「白色」と、「黒色」と、中間調の色である７種類の「ライトグレイ」と、中間調の色である７種類「ダークグレイ」として説明する。通常書換波形で書換前の色から書換後の色へ書き換える過程が本発明の第１書換過程の一例である。高速書換波形で書換前の色から書換後の色へ書き換える過程が本発明の第２書換過程である。第１書換過程により色が書き換えられる時間は第２書換過程により色が書き換えられる時間よりも長い。
【００４５】
以下、通常書換波形及び高速書換波形により表示部１０の色が書き換えられた場合の明度の変化を図８〜図１１を用いて説明する。図８〜図１１に示したＴｓ１は通常書換波形の電圧の印加開始時点である。図８〜図１１に示したＴｅ１は通常書換波形の電圧の印加終了時点である。図８〜図１１に示したＴｓ２は高速書換波形の電圧の印加開始時点である。図８〜図１１に示したＴｅ２は通常書換波形の電圧の印加終了時点である。図８（ｃ）、図９（ｃ）、図１０（ｃ）、図１１（ｃ）は通常書換過程の反転量と高速書換波形の反転量とを比較するため両者の明度の変化曲線を示した図である。尚、表示部１０に表示される色の明度は「０」〜「１５」の連続的な値をとる。図８〜図１１に示したＴｓとＴｅとは、
【００４６】
【数１】
2011215289.tif 000003
【００４７】
【数２】
2011215289.tif 000004
【００４８】
である。尚、図８（ｃ）、図９（ｃ）、図１０（ｃ）、図１１（ｃ）中において、第２変化曲線Ｌ２については、第１変化曲線Ｌ１との比較のため、時間軸の値を（Ｔｅ１−Ｔｓ１）／（Ｔｅ２−Ｔｓ２）で乗算して正規化して示している。このため。第２書換過程においてＴｓ２とＴｅ２との間の任意のＴは、図８（Ｃ）と図９（Ｃ）と図１０（Ｃ）と図１１（Ｃ）でＸを乗じた値で示される。
【００４９】
【数３】
2011215289.tif 000005
【００５０】
書換後において、表示部１０に表示される色は、明度の高い順に「白色」、「ライトグレイ７」、「ライトグレイ６」、「ライトグレイ５」、「ライトグレイ４」、「ライトグレイ３」、「ライトグレイ２」、「ライトグレイ１」、「ダークグレイ７」、「ダークグレイ６」、「ダークグレイ５」、「ダークグレイ４」、「ダークグレイ３」、「ダークグレイ２」、「ダークグレイ１」、「黒色」とする。尚、「白色」の明度は「１５」とする。「ライトグレイ７」の明度は「１４」とする。「ライトグレイ６」の明度は「１３」とする。「ライトグレイ５」の明度は「１２」とする。「ライトグレイ４」の明度は「１１」とする。「ライトグレイ３」の明度は「１０」とする。「ライトグレイ２」の明度は「９」とする。「ライトグレイ１」の明度は「８」とする。「ダークグレイ７」の明度は「７」とする。「ダークグレイ６」の明度は「６」とする。「ダークグレイ５」の明度は「５」とする。「ダークグレイ４」の明度は「４」とする。「ダークグレイ３」の明度は「３」とする。「ダークグレイ２」の明度は「２」とする。「ダークグレイ１」の明度は「１」とする。「黒色」の明度は「０」とする。
【００５１】
反転認識量Ｒは、平均的な人が、色の反転を認識できる程度の色の明度の量である。反転認識量Ｒが、表示部１０に表示される色の明度の間隔であれば、色の反転は確実に認識される。本実施形態では反転認識量Ｒを「１」として説明する。Ｔｓ１及び、Ｔｓ２において表示部１０に表示されている色が本発明の書換前の色である。Ｔｅ１及び、Ｔｅ２において表示部１０に表示されている色が本発明の書換後の色である。図８（Ｃ）と図９（Ｃ）と図１０（Ｃ）と図１１（Ｃ）とに実線で示された曲線が本発明の第１変化曲線Ｌ１である。図８（Ｃ）と図９（Ｃ）と図１０（Ｃ）と図１１（Ｃ）とに点線で示された曲線が本発明の第２変化曲線Ｌ２である。本実施例では表示部１０の色は白色帯電粒子１３Ａと黒色帯電粒子１３Ｂとの上下方向の移動によって変化する。従って、表示部１０の色の変化は連続的であり、第１変化曲線Ｌ１と第２変化曲線Ｌ２とはＴｓからＴｅまでの間で微分可能である。
【００５２】
図８（Ａ）は表示部１０の色を「白色」から「白色」へ書き換えるために画素電極１２に印加する電圧を表す通常書換波形の波形図である。図８（Ｃ）は表示部１０の色が「白色」から「白色」へ書き換えられた場合の表示部１０に表示される色の明度の変化を表した図である。図８（Ａ）に示したように、通常書換波形では、Ｔｓ１から所定時間の間においてプラス電圧が画素電極１２に印加される。所定時間が経過するとマイナス電圧が画素電極１２に印加される。白色帯電粒子１３Ａは、まず、透明電極１４側から画素電極１２側へ移動する。次に白色帯電粒子１３Ａの移動方向が反転し、白色帯電粒子１３Ａは画素電極１２側から透明電極１４側へ移動する。これに対し、黒色帯電粒子１３Ｂは、まず、画素電極１２側から透明電極１４側へ移動する。次に黒色帯電粒子１３Ｂの移動方向が反転し、黒色帯電粒子１３Ｂは透明電極１４側から画素電極１２側へ移動する。従って、図８（Ａ）に示したように、第１書換過程において、表示部１０に表示される色が「白色」から「ダークグレイ７」を経由して「白色」に書き換えられる。従って、図８（Ｃ）で示したように、第１変化曲線Ｌ１は極小値Ｐｍｉｎをもつ。Ｔｍｉｎはこの極小値Ｐｍｉｎをとる時点である。ＴｓからＴｍｉｎまでの時間では、表示部１０に表示される色は「白色」から「ダークグレイ７」に変化する。従って明度は「１５」から「７」に変化する。つまり、明度が下がる。ＴｍｉｎからＴｅまでの時間では「ダークグレイ７」から「白色」に変化する。従って、明度は「７」から「１５」に変化する。つまり、明度が上がる。書換前の色の明度と極値をとる時点での明度の差の絶対値である第１反転量Ｒ１は「８」である。第１反転量Ｒ１は反転認識量Ｒよりも大きい。
【００５３】
図８（Ｂ）は表示部１０の色を「白色」から「白色」へ書き換えるために画素電極１２に印加する電圧を表す高速書換波形の波形図である。図８（Ｂ）に示したように、高速書換波形では「白色」から「白色」へ書き換えられる際は、電圧は印加されない。従って、白色帯電粒子１３Ａと黒色帯電粒子１３Ｂとは第２書換過程において移動しない。従って、第２書換過程において表示部１０に表示される色は「白色」のままである。従って、図８（Ｃ）に示したように、第２変化曲線Ｌ２は極値Ｐを持たない。明度は第２書換過程において「１５」のままである。また、第１変化曲線Ｌ１の全長は第２変化曲線Ｌ２の全長よりも長い。
【００５４】
表示部１０の色が「白色」から「白色」へ書き換えられる過程において、第１変化曲線Ｌ１の全長は、第２変化曲線Ｌ２の全長よりも長い。従って、高速書換波形で表示部１０の色を書き換えるよりも通常書換波形で表示部１０の色を書き換えた方が、画素電極１２と透明電極１４との間に配置された白色帯電粒子１３Ａと黒色帯電粒子１３Ｂとの位置の詳細な制御を行うことができる。これにより、残像のすくない表示を行うことができる。さらに、通常書換波形で表示部１０の色を書き換えるよりも高速書換波形で表示部１０の色を書き換えた方が、画素電極１２と透明電極１４との間に配置された白色帯電粒子１３Ａの上下方向の移動と黒色帯電粒子１３Ｂの上下方向の移動が減る。これにより、表示部１０に表示される色のちらつきを抑えることができる。さらに、第１変化曲線Ｌ１が極値Ｐを持つように定められた通常書換波形により色が書き換えられる。第２変化曲線Ｌ２が極値を持たないように定められた高速書換波形により色が書き換えられる。従って、通常書換波形に従い、色が書き換えられた場合は、黒色帯電粒子１３Ｂの移動方向と白色帯電粒子１３Ａの移動方向とが第１書換過程において反転する。よって、変化曲線が極値Ｐを持たないように定められた波形で色が書き換えられる場合よりも、通常書換波形による書き換えは残像をよく消すことができる。さらに第２変化曲線Ｌ２が極値を持たないように定められた高速書換波形により色が書き換えられた場合は、黒色帯電粒子１３Ｂの移動方向と白色帯電粒子１３Ａの移動方向とが第２書換過程において反転しない。よって、変化曲線が極値をもつように定められた波形に従い、色が書き換えられる場合よりも、高速書換波形による書き換えは第２書換過程における色の変化を小さくすることが出来る。これにより、黒色帯電粒子１３Ｂ及び、白色帯電粒子１３Ａの画素電極１２と透明電極１４との間における分布状態の変化による色のちらつきを抑えることが出来る。
【００５５】
第１変化曲線Ｌ１が反転認識量Ｒよりも大きい第１反転量Ｒ１をもつように定められた通常書換波形に従い、色が書き換えられる。第１変化曲線Ｌ１が極値Ｐを１つ持つので、黒色帯電粒子１３Ｂの移動方向と白色帯電粒子１３Ａの移動方向とが書換前から極値Ｐをとる時点までの間、または極値Ｐをとる時点から書換後までの間で反転する。この黒色帯電粒子１３Ｂの移動方向と白色帯電粒子１３Ｃの移動方向とが反転している時点における第１反転量Ｒ１が反転認識量Ｒよりも大きいので、変化曲線が反転認識量Ｒよりも小さい反転量を持つように定められた波形に従い色が書き換えられるよりも、通常書換波形による書き換えは残像をより消すことが出来る。
【００５６】
さらに、隣接する前記階調の色の間隔は、反転認識量Ｒ以上であるので、隣接する階調の色の間隔が反転認識量Ｒ未満であるように定められた高速書換波形に従い色が書き換えられるよりも第２書換過程における色の変化を抑えることができる。これにより、黒色帯電粒子１３Ｂ及び、白色帯電粒子１３Ａの画素電極１２と透明電極１４との間における分布状態の変化による色のちらつきを抑えることが出来る。
【００５７】
図９（Ａ）は表示部１０の色を「白色」から「黒色」へ書き換えるために画素電極１２に印加する電圧を表す通常書換波形の波形図である。図９（Ｃ）は表示部１０の色が「白色」から「黒色」へ書き換えられた場合の表示部１０に表示される色の明度の変化を表した図である。図９（Ａ）に示したように、通常書換波形では、Ｔｓ１から所定時間の間においてプラス電圧が画素電極１２に印加される。所定時間が経過するとマイナス電圧が画素電極１２に印加される。マイナス電圧が画素電極１２に印加された後に、プラス電圧が画素電極１２に印加される。白色帯電粒子１３Ａは、まず、透明電極１４側から画素電極１２側へ移動する。次に白色帯電粒子１３Ａの移動方向が反転し、白色帯電粒子１３Ａは画素電極１２側から透明電極１４側へ移動する。次に白色帯電粒子１３Ａの移動方向が反転し、白色帯電粒子１３Ａは透明電極１４側から画素電極１２側へ移動する。これに対し、黒色帯電粒子１３Ｂは、まず、画素電極１２側から透明電極１４側へ移動する。次に黒色帯電粒子１３Ｂの移動方向が反転し、黒色帯電粒子１３Ｂは透明電極１４側から画素電極１２側へ移動する。次に黒色帯電粒子１３Ｂの移動方向が反転し、黒色帯電粒子１３Ｂは画素電極１２側から透明電極１４側へ移動する。従って、図９（Ａ）に示したように、第１書換過程において、「白色」から「ダークグレイ７」と「ライトグレイ４」とを経由して「黒色」に表示部１０に表示される色が書き換えられる。従って、図９（Ｃ）で示したように、第１変化曲線Ｌ１は極大値Ｐｍａｘと極小値Ｐｍｉｎとをもつ。この極大値Ｐｍａｘと極小値Ｐｍｉｎとの差の絶対値が第１反転量Ｒ１である。Ｔｍｉｎはこの極小値Ｐｍｉｎをとる時点である。Ｔｍａｘはこの極大値Ｐｍａｘをとる時点である。ＴｓからＴｍｉｎまでの時間では、表示部１０に表示される色は「白色」から「ダークグレイ７」に変化する。従って明度は「１５」から「７」に変化する。つまり、明度が下がる。ＴｍｉｎからＴｍａｘまでの時間では、表示部１０に表示される色は「ダークグレイ７」から「ライトグレイ４」に変化する。従って明度は「７」から「１１」に変化する。つまり、明度が上がる。ＴｍａｘからＴｅまでの時間では「ライトグレイ４」から「黒色」に変化する。従って、明度は「１１」から「０」に変化する。つまり、明度が下がる。第１反転量Ｒ１は「４」である。第１反転量Ｒ１は、反転認識量Ｒよりも大きい。
【００５８】
図９（Ｂ）は表示部１０の色を「白色」から「黒色」へ書き換えるために画素電極１２に印加する電圧を表す高速書換波形の波形図である。図９（Ｂ）に示したように、高速書換波形では、Ｔｓ２から所定時間の間においてプラス電圧が画素電極１２に印加される。所定時間が経過するとプラス電圧が画素電極１２に印加される。白色帯電粒子１３Ａは、ＴｓからＴｅまでの間で透明電極１４側から画素電極１２側へ移動する。これに対し、黒色帯電粒子１３Ｂは、ＴｓからＴｅまでの間で画素電極１２側から透明電極１４側へ移動する。図９（Ｂ）に示したように、第２書換過程において、「白色」から「黒色」に表示部１０に表示される色が書き換えられる。従って、図９（Ｃ）で示したように、第２変化曲線Ｌ２は極値Ｐを持たない。ＴｓからＴｅまでの時間では、表示部１０に表示される色は「白色」から「黒色」に変化する。従って明度は「１５」から「０」に変化する。つまり、明度が下がる。また、第１変化曲線Ｌ１の全長は第２変化曲線Ｌ２の全長よりも長い。
【００５９】
表示部１０の色が「白色」から「黒色」へ書き換えられる過程において、第１変化曲線Ｌ１の全長は、第２変化曲線Ｌ２の全長よりも長い。従って、高速書換波形で表示部１０の色を書き換えるよりも通常書換波形で表示部１０の色を書き換えた方が、画素電極１２と透明電極１４との間に配置された白色帯電粒子１３Ａと黒色帯電粒子１３Ｂとの位置の詳細な制御を行うことができる。これにより、残像のすくない表示を行うことができる。さらに、通常書換波形で表示部１０の色を書き換えるよりも高速書換波形で表示部１０の色を書き換えた方が、画素電極１２と透明電極１４との間に配置された白色帯電粒子１３Ａの上下方向の移動と黒色帯電粒子１３Ｂの上下方向の移動が減る。これにより、表示部１０に表示される色のちらつきを抑えることができる。さらに、第１変化曲線Ｌ１が極値Ｐを持つように定められた通常書換波形により色が書き換えられる。第２変化曲線Ｌ２が極値を持たないように定められた高速書換波形により色が書き換えられる。従って、通常書換波形に従い、色が書き換えられた場合は、黒色帯電粒子１３Ｂの移動方向と白色帯電粒子１３Ａの移動方向とが第１書換過程において反転する。よって、変化曲線が極値Ｐを持たないように定められた波形で色が書き換えられる場合よりも、通常書換波形による書き換えは残像をよく消すことができる。さらに第２変化曲線Ｌ２が極値を持たないように定められた高速書換波形により色が書き換えられた場合は、黒色帯電粒子１３Ｂの移動方向と白色帯電粒子１３Ａの移動方向とが第２書換過程において反転しない。よって、変化曲線が極値をもつように定められた波形に従い、色が書き換えられる場合よりも、高速書換波形による書き換えは第２書換過程における色の変化を小さくすることが出来る。これにより、黒色帯電粒子１３Ｂ及び、白色帯電粒子１３Ａの画素電極１２と透明電極１４との間における分布状態の変化による色のちらつきを抑えることが出来る。
【００６０】
第１変化曲線Ｌ１が反転認識量Ｒよりも大きい第１反転量Ｒ１をもつように定められた通常書換波形に従い、色が書き換えられる。第１変化曲線Ｌ１が極大値Ｐｍａｘと極小値Ｐｍｉｎとを持つので、黒色帯電粒子１３Ｂの移動方向と白色帯電粒子１３Ａの移動方向とが極大値Ｐｍａｘをとる時点Ｔｍａｘと極小値Ｐｍｉｎをとる時点Ｔｍｉｎとの間で反転する。この黒色帯電粒子１３Ｂの移動方向と白色帯電粒子１３Ｃの移動方向とが反転している時点における第１反転量Ｒ１が反転認識量Ｒよりも大きいので、変化曲線が反転認識量Ｒよりも小さい反転量を持つように定められた波形に従い色が書き換えられるよりも、通常書換波形による書き換えは残像をより消すことが出来る。
【００６１】
さらに、隣接する前記階調の色の間隔は、反転認識量Ｒ以上であるので、隣接する階調の色の間隔が反転認識量Ｒ未満であるように定められた高速書換波形に従い色が書き換えられるよりも第２書換過程における色の変化を抑えることができる。これにより、黒色帯電粒子１３Ｂ及び、白色帯電粒子１３Ａの画素電極１２と透明電極１４との間における分布状態の変化による色のちらつきを抑えることが出来る。
【００６２】
図１０（Ａ）は表示部１０の色を「白色」から「ライトグレイ４」へ書き換えるために画素電極１２に印加する電圧を表す通常書換波形の波形図である。図１０（Ｃ）は表示部１０の色が「白色」から「ライトグレイ４」へ書き換えられた場合の表示部１０に表示される色の明度の変化を表した図である。図１０（Ａ）に示したように、通常書換波形では、Ｔｓ１から所定時間の間においてプラス電圧が画素電極１２に印加される。所定時間が経過するとマイナス電圧が画素電極１２に印加される。マイナス電圧が画素電極１２に印加された後に、プラス電圧が画素電極１２に印加される。白色帯電粒子１３Ａは、まず、透明電極１４側から画素電極１２側へ移動する。次に白色帯電粒子１３Ａの移動方向が反転し、白色帯電粒子１３Ａは画素電極１２側から透明電極１４側へ移動する。次に白色帯電粒子１３Ａの移動方向が反転し、白色帯電粒子１３Ａは透明電極１４側から画素電極１２側へ移動する。これに対し、黒色帯電粒子１３Ｂは、まず、画素電極１２側から透明電極１４側へ移動する。次に黒色帯電粒子１３Ｂの移動方向が反転し、黒色帯電粒子１３Ｂは透明電極１４側から画素電極１２側へ移動する。次に黒色帯電粒子１３Ｂの移動方向が反転し、黒色帯電粒子１３Ｂは画素電極１２側から透明電極１４側へ移動する。従って、図１０（Ａ）に示したように、第１書換過程において、「白色」から「ダークグレイ７」を経由して「ライトグレイ４」に表示部１０に表示される色が書き換えられる。従って、図１０（Ｃ）で示したように、第１変化曲線Ｌ１は極小値Ｐｍｉｎをもつ。Ｔｍｉｎはこの極小値Ｐｍｉｎをとる時点である。ＴｓからＴｍｉｎまでの時間では、表示部１０に表示される色は「白色」から「ダークグレイ７」に変化する。従って明度は「１５」から「７」に変化する。つまり、明度が下がる。ＴｍｉｎからＴｅまでの時間では、表示部１０に表示される色は「ダークグレイ７」から「ライトグレイ４」に変化する。従って明度は「７」から「１１」に変化する。つまり、明度が上がる。極小値Ｐｍｉｎと書換後の色の明度との差の絶対値である第１反転量Ｒ１は「３」である。第１反転量は反転認識量Ｒよりも大きい。
【００６３】
図１０（Ｂ）は表示部１０の色を「白色」から「ライトグレイ４」へ書き換えるために画素電極１２に印加する電圧を表す高速書換波形の波形図である。図１０（Ｂ）に示したように、高速書換波形では、Ｔｓ２から所定時間の間においてマイナス電圧が画素電極１２に印加される。これは、表示部１０の色が「白色」から「ライトグレイ４」へ高速書換波形により書き換えられる際は、白色帯電粒子１３Ａ及び黒色帯電粒子１３Ｂの位置制御が難しい。この理由により、まず最初にマイナス電圧を画素電極１２に印加することによって、位置制御を簡易にするためである。所定時間が経過するとプラス電圧が画素電極１２に印加される。白色帯電粒子１３Ａは、透明電極１４側から画素電極１２側へ移動する。これに対し、黒色帯電粒子１３Ｂは、画素電極１２側から透明電極１４側へ移動する。図１０（Ｂ）に示したように、第２書換過程において、「白色」から「ライトグレイ４」に表示部１０に表示される色が書き換えられる。従って、図１０（Ｃ）で示したように、第２変化曲線Ｌ２は極値Ｐを持たない。ＴｓからＴｅまでの時間では、表示部１０に表示される色は「白色」から「黒色」に変化する。従って明度は「１５」から「１１」に変化する。つまり、明度が下がる。第１変化曲線Ｌ１の全長は第２変化曲線Ｌ２の全長よりも長い。
【００６４】
表示部１０の色が「白色」から「ライトグレイ４」へ書き換えられる過程において、第１変化曲線Ｌ１の全長は、第２変化曲線Ｌ２の全長よりも長い。従って、高速書換波形で表示部１０の色を書き換えるよりも通常書換波形で表示部１０の色を書き換えた方が、画素電極１２と透明電極１４との間に配置された白色帯電粒子１３Ａと黒色帯電粒子１３Ｂとの位置の詳細な制御を行うことができる。これにより、残像のすくない表示を行うことができる。さらに、通常書換波形で表示部１０の色を書き換えるよりも高速書換波形で表示部１０の色を書き換えた方が、画素電極１２と透明電極１４との間に配置された白色帯電粒子１３Ａの上下方向の移動と黒色帯電粒子１３Ｂの上下方向の移動が減る。これにより、表示部１０に表示される色のちらつきを抑えることができる。さらに、第１変化曲線Ｌ１が極値Ｐを持つように定められた通常書換波形により色が書き換えられる。第２変化曲線Ｌ２が極値を持たないように定められた高速書換波形により色が書き換えられる。従って、通常書換波形に従い、色が書き換えられた場合は、黒色帯電粒子１３Ｂの移動方向と白色帯電粒子１３Ａの移動方向とが第１書換過程において反転する。よって、変化曲線が極値Ｐを持たないように定められた波形で色が書き換えられる場合よりも、通常書換波形による書き換えは残像をよく消すことができる。さらに第２変化曲線Ｌ２が極値を持たないように定められた高速書換波形により色が書き換えられた場合は、黒色帯電粒子１３Ｂの移動方向と白色帯電粒子１３Ａの移動方向とが第２書換過程において反転しない。よって、変化曲線が極値をもつように定められた波形に従い、色が書き換えられる場合よりも、高速書換波形による書き換えは第２書換過程における色の変化を小さくすることが出来る。これにより、黒色帯電粒子１３Ｂ及び、白色帯電粒子１３Ａの画素電極１２と透明電極１４との間における分布状態の変化による色のちらつきを抑えることが出来る。
【００６５】
第１変化曲線Ｌ１が反転認識量Ｒよりも大きい第１反転量Ｒ１をもつように定められた通常書換波形に従い、色が書き換えられる。第１変化曲線Ｌ１が極値Ｐを１つ持つので、黒色帯電粒子１３Ｂの移動方向と白色帯電粒子１３Ａの移動方向とが書換前から極値Ｐをとる時点までの間、または極値Ｐをとる時点から書換後までの間で反転する。この黒色帯電粒子１３Ｂの移動方向と白色帯電粒子１３Ｃの移動方向とが反転している時点における第１反転量Ｒ１が反転認識量Ｒよりも大きいので、変化曲線が反転認識量Ｒよりも小さい反転量を持つように定められた波形に従い色が書き換えられるよりも、通常書換波形による書き換えは残像をより消すことが出来る。
【００６６】
さらに、隣接する前記階調の色の間隔は、反転認識量Ｒ以上であるので、隣接する階調の色の間隔が反転認識量Ｒ未満であるように定められた高速書換波形に従い色が書き換えられるよりも第２書換過程における色の変化を抑えることができる。これにより、黒色帯電粒子１３Ｂ及び、白色帯電粒子１３Ａの画素電極１２と透明電極１４との間における分布状態の変化による色のちらつきを抑えることが出来る。
【００６７】
図１１（Ａ）は表示部１０の色を「白色」から「ダークグレイ７」へ書き換えるために画素電極１２に印加する電圧を表す通常書換波形の波形図である。図１１（Ｃ）は表示部１０の色が「白色」から「ダークグレイ７」へ書き換えられた場合の表示部１０に表示される色の明度の変化を表した図である。図１１（Ａ）に示したように、通常書換波形では、Ｔｓ１から所定時間の間においてプラス電圧が画素電極１２に印加される。所定時間が経過するとマイナス電圧が画素電極１２に印加される。マイナス電圧が画素電極１２に印加された後に、プラス電圧が画素電極１２に印加される。白色帯電粒子１３Ａは、まず、透明電極１４側から画素電極１２側へ移動する。次に白色帯電粒子１３Ａの移動方向が反転し、白色帯電粒子１３Ａは画素電極１２側から透明電極１４側へ移動する。次に白色帯電粒子１３Ａの移動方向が反転し、白色帯電粒子１３Ａは透明電極１４側から画素電極１２側へ移動する。これに対し、黒色帯電粒子１３Ｂは、まず、画素電極１２側から透明電極１４側へ移動する。次に黒色帯電粒子１３Ｂの移動方向が反転し、黒色帯電粒子１３Ｂは透明電極１４側から画素電極１２側へ移動する。次に黒色帯電粒子１３Ｂの移動方向が反転し、黒色帯電粒子１３Ｂは画素電極１２側から透明電極１４側へ移動する。第１書換過程において、「白色」から「ライトグレイ１」と「ライトグレイ６」とを経由して「ダークグレイ７」に表示部１０に表示される色が書き換えられる。従って、図１１（Ｃ）で示したように、第１変化曲線Ｌ１は極大値Ｐｍａｘ１と極小値Ｐｍｉｎ１とをもつ。この極大値Ｐｍａｘ１と極小値Ｐｍｉｎ１との差の絶対値が第２反転量Ｒ２である。Ｔｍａｘ１はこの極大値Ｐｍａｘ１をとる時点である。Ｔｍｉｎ１はこの極小値Ｐｍｉｎ１をとる時点である。ＴｓからＴｍｉｎ１までの時間では、表示部１０に表示される色は「白色」から「ライトグレイ１」に変化する。従って明度は「１５」から「８」に変化する。つまり、明度が下がる。Ｔｍｉｎ１からＴｍａｘ１までの時間では、表示部１０に表示される色は「ライトグレイ１」から「ライトグレイ６」に変化する。従って明度は「８」から「１３」に変化する。つまり、明度が上がる。Ｔｍａｘ１からＴｅまでの時間では「ライトグレイ６」から「ダークグレイ７」に変化する。従って、明度は「１３」から「７」に変化する。つまり、明度が下がる。第２反転量Ｒ２は「５」である。第２反転量Ｒ２は反転認識量Ｒよりも大きい。
【００６８】
図１１（Ｂ）は表示部１０の色を「白色」から「ダークグレイ７」へ書き換えるために画素電極１２に印加する電圧を表す高速書換波形の波形図である。図１１（Ｂ）に示したように、高速書換波形では、Ｔｓ２から所定時間の間においてプラス電圧が画素電極１２に印加される。所定時間が経過するとマイナス電圧が画素電極１２に印加される。マイナス電圧が画素電極１２に印加された後に、プラス電圧が画素電極１２に印加される。白色帯電粒子１３Ａは、まず、透明電極１４側から画素電極１２側へ移動する。次に白色帯電粒子１３Ａの移動方向が反転し、白色帯電粒子１３Ａは画素電極１２側から透明電極１４側へ移動する。次に白色帯電粒子１３Ａの移動方向が反転し、白色帯電粒子１３Ａは透明電極１４側から画素電極１２側へ移動する。これに対し、黒色帯電粒子１３Ｂは、まず、画素電極１２側から透明電極１４側へ移動する。次に黒色帯電粒子１３Ｂの移動方向が反転し、黒色帯電粒子１３Ｂは透明電極１４側から画素電極１２側へ移動する。次に黒色帯電粒子１３Ｂの移動方向が反転し、黒色帯電粒子１３Ｂは画素電極１２側から透明電極１４側へ移動する。第２書換過程において、「白色」から「ライトグレイ２．５」と「ライトグレイ３」とを経由して「ダークグレイ７」に表示部１０に表示される色が書き換えられる。「ライトグレイ２．５」は「ライトグレイ２」と「ダークグレイ３」との間の階調の色である。「ライトグレイ２．５」の明度は「９．５」である。従って、図１１（Ｃ）で示したように、第２変化曲線Ｌ２は極大値Ｐｍａｘ２と極小値Ｐｍｉｎ２とをもつ。極大値Ｐｍａｘ２と極小値Ｐｍｉｎ２との差の絶対値が第３反転量Ｒ３である。Ｔｍａｘ２はこの極大値Ｐｍａｘ２をとる時点である。Ｔｍｉｎ２はこの極小値Ｐｍｉｎ２をとる時点である。ＴｓからＴｍｉｎ２までの時間では、表示部１０に表示される色は「白色」から「ライトグレイ２．５」に変化する。従って明度は「１５」から「９．５」に変化する。つまり、明度が下がる。Ｔｍｉｎ２からＴｍａｘ２までの時間では、表示部１０に表示される色は「ライトグレイ２．５」から「ライトグレイ３」に変化する。従って明度は「９．５」から「１０」に変化する。つまり、明度が上がる。Ｔｍａｘ２からＴｅまでの時間では「ライトグレイ３」から「ダークグレイ７」に変化する。従って、明度は「１０」から「７」に変化する。つまり、明度が下がる。第３反転量Ｒ３は「０．５」である。第３反転量Ｒ３は反転認識量Ｒよりも小さい。また、第１変化曲線Ｌ１の全長は第２変化曲線Ｌ２の全長よりも長い。第３反転量Ｒ３は反転認識量Ｒよりも小さい。
【００６９】
表示部１０の色が「白色」から「ダークグレイ７」へ書き換えられる過程において、第１変化曲線Ｌ１の全長は、第２変化曲線Ｌ２の全長よりも長い。従って、高速書換波形で表示部１０の色を書き換えるよりも通常書換波形で表示部１０の色を書き換えた方が、画素電極１２と透明電極１４との間に配置された白色帯電粒子１３Ａと黒色帯電粒子１３Ｂとの位置の詳細な制御を行うことができる。これにより、残像のすくない表示を行うことができる。さらに、通常書換波形で表示部１０の色を書き換えるよりも高速書換波形で表示部１０の色を書き換えた方が、画素電極１２と透明電極１４との間に配置された白色帯電粒子１３Ａの上下方向の移動と黒色帯電粒子１３Ｂの上下方向の移動が減る。これにより、表示部１０に表示される色のちらつきを抑えることができる。さらに、第１変化曲線Ｌ１が極値Ｐを持つように定められた通常書換波形により色が書き換えられる。第２変化曲線Ｌ２が極値を持たないように定められた高速書換波形により色が書き換えられる。従って、通常書換波形に従い、色が書き換えられた場合は、黒色帯電粒子１３Ｂの移動方向と白色帯電粒子１３Ａの移動方向とが第１書換過程において反転する。よって、変化曲線が極値Ｐを持たないように定められた波形で色が書き換えられる場合よりも、通常書換波形による書き換えは残像をよく消すことができる。さらに第２変化曲線Ｌ２が極値を持たないように定められた高速書換波形により色が書き換えられた場合は、黒色帯電粒子１３Ｂの移動方向と白色帯電粒子１３Ａの移動方向とが第２書換過程において反転しない。よって、変化曲線が極値をもつように定められた波形に従い、色が書き換えられる場合よりも、高速書換波形による書き換えは第２書換過程における色の変化を小さくすることが出来る。これにより、黒色帯電粒子１３Ｂ及び、白色帯電粒子１３Ａの画素電極１２と透明電極１４との間における分布状態の変化による色のちらつきを抑えることが出来る。
【００７０】
第１変化曲線Ｌ１が反転認識量Ｒよりも大きい第２反転量Ｒ１をもつように定められた通常書換波形に従い、色が書き換えられる。第１変化曲線Ｌ１が極大値Ｐｍａｘ１と極小値Ｐｍｉｎ１とを持つので、黒色帯電粒子１３Ｂの移動方向と白色帯電粒子１３Ａの移動方向とが極大値Ｐｍａｘ１をとる時点Ｔｍａｘ１と極小値Ｐｍｉｎ１をとる時点Ｔｍｉｎ１との間で反転する。この黒色帯電粒子１３Ｂの移動方向と白色帯電粒子１３Ｃの移動方向とが反転している時点における第２反転量Ｒ２が反転認識量Ｒよりも大きいので、変化曲線が反転認識量Ｒよりも小さい反転量を持つように定められた波形に従い色が書き換えられるよりも、通常書換波形による書き換えは残像をより消すことが出来る。
【００７１】
さらに、隣接する前記階調の色の間隔は、反転認識量Ｒ以上であるので、隣接する階調の色の間隔が反転認識量Ｒ未満であるように定められた高速書換波形に従い色が書き換えられるよりも第２書換過程における色の変化を抑えることができる。これにより、黒色帯電粒子１３Ｂ及び、白色帯電粒子１３Ａの画素電極１２と透明電極１４との間における分布状態の変化による色のちらつきを抑えることが出来る。
【００７２】
さらに、第３反転量Ｒ３が第２反転量Ｒ２よりも小さいので、第３反転量Ｒ３が第２反転量Ｒ２よりも大きいように定められた波形に従い、書換指示が記憶されている状態で色が書き換えられるよりも、高速書換波形による書き換えは、黒色帯電粒子１３Ｂ及び、白色帯電粒子１３Ａの画素電極１２と透明電極１４との間における分布状態の変化による色のちらつきを抑えることが出来る。
【００７３】
さらに、第２反転量Ｒ２は反転認識量Ｒよりも大きく、第３反転量Ｒ３は反転認識量Ｒよりも小さい。従って、変化曲線が反転認識量Ｒよりも小さい第２反転量Ｒ２をもつように定められた波形に従い、色が書き換えられるよりも、通常書換波形による書き換えは残像をより消すことが出来る。変化曲線が反転認識量Ｒよりも大きい第３反転量Ｒ３をもつように定められた波形により色が書き換えられるよりも、高速書換による書き換えは第２書換過程における色の変化を抑えることができる。これにより、黒色帯電粒子１３Ｂ及び、白色帯電粒子１３Ａの画素電極１２と透明電極１４との間における分布状態の変化による色のちらつきを抑えることが出来る。
【００７４】
＜表示部の電気的構成＞
表示部１０は、ゲートドライバ１６と、ソースドライバ１７と、薄膜トランジスタ１８（Ｔｈｉｎ  Ｆｉｌｍ  Ｔｒａｎｓｉｓｔｏｒ：以下「ＴＦＴ」）とを有する。表示コントローラ５０は、ゲートドライバ１６とソースドライバ１７と、制御部３０と、波形記憶部６０とに接続される。ＴＦＴ１８は、ゲートドライバ１６とソースドライバ１７とに接続される。表示コントローラ５０、ゲートドライバ１６とソースドライバ１７及びＴＦＴ１８が、本発明の書換部の一例である。
【００７５】
＜ドライバとＴＦＴの接続関係＞
図１２は、本実施形態における表示部１０の詳細な構成を示している。図１２に示したように、ゲートドライバ１６は、多数のゲート線１６Ａと接続される。ソースドライバ１７は、多数のソース線１７Ａと接続される。ゲート線１６Ａとソース線１７Ａとは、互いに交差するように配線される。ＴＦＴ１８が、ゲート線１６Ａとソース線１７Ａとの各交差部近傍に配置される。ＴＦＴ１８のゲート端子１８Ａがゲート線１６Ａに接続される。ＴＦＴ１８のソース端子１８Ｂがソース線１７Ａに接続される。ＴＦＴ１８のドレイン端子１８Ｃが画素電極１２に接続される。
【００７６】
ゲートドライバ１６は、ＴＦＴ１８をオンにするためのゲート制御電圧をゲート線１６Ａを介してゲート端子１８Ａに供給する。ソースドライバ１７は、ソース線１７Ａを介して、プラス電圧またはマイナス電圧をソース端子１８Ｂに供給する。従って、ゲート制御電圧が、ゲート端子１８Ａに印加されている時に、このプラス電圧またはマイナス電圧が画素電極１２に印加される。表示コントローラ５０は、ゲートドライバ１６がゲート線１６Ａに供給するゲート制御電圧と、ソースドライバ１７がソース線１７Ａに印加する駆動パルス電圧とを制御し、画素電極１２にプラス電圧またはマイナス電圧を印加する。
【００７７】
＜表示装置１の動作の説明＞
以上説明した構成からなる本実施形態の表示装置１の動作及び作用について、図１３〜図１７を参照して説明する。図１３、図１５、図１６、図１７は、制御部３０の全体処理の手順を示すフローチャートである。電源キー２１が押下されて、電力が制御部３０に供給された後に、制御部３０が全体処理を実行する。図１３に示す処理は全て制御部３０が行う。図１４は制御部３０の入力キーデータ取得タスクの手順を示すフローチャートである。
【００７８】
図１３に示したように、ステップ１（以下ステップをＳと称す）では、制御部３０は、入力キーデータ取得タスクを開始し、Ｓ２に移行する。この入力キーデータ取得タスクは、制御部３０が、全体処理と並行して処理を行う。
【００７９】
図１４に示したフローチャートに従い、入力キーデータ取得タスクを説明する。図１４に示したように、Ｓ１０１では、制御部３０は、入力キー２２が押下されることにより発生する電気信号を取得し、Ｓ１０２に移行する。
【００８０】
Ｓ１０２では、制御部３０は、Ｓ１０１で取得した電気信号に基づいて、入力キー２２が押下されたかを判断する。入力キー２２が押下されたと判断された場合（Ｓ１０２：Ｙｅｓ）は、Ｓ１０３に移行する。入力キー２２が押下されていないと判断された場合（Ｓ１０２：Ｎｏ）は、Ｓ１０４に移行する。
【００８１】
Ｓ１０３では、制御部３０は、Ｓ１０１で取得した電気信号に対応する入力キーデータを書換指示記憶部３２１に記憶し、Ｓ１０４に移行する。入力キーデータはＳ１０１において押下された入力キー２２を識別するためのデータである。より具体的には、メニューキー２３が押下された場合は、入力キーデータであるメニューキーデータを書換指示記憶部３２１に記憶する。閉じるキー２４が押下された場合は、入力キーデータである閉じるキーデータを書換指示記憶部３２１に記憶する。前キー２５が押下された場合は、入力キーデータである前キーデータを書換指示記憶部３２１に記憶する。次キー２６が押下された場合は、入力キーデータである次キーデータを書換指示記憶部３２１に記憶する。選択キー２７が押下された場合は、入力キーデータである選択キーデータを書換指示記憶部３２１に記憶する。決定キー２８が押下された場合は、決定キーデータである決定キーデータを書換指示記憶部３２１に記憶する。
【００８２】
Ｓ１０４では、制御部３０は、タイマー開始信号をタイマー３４に送信し、タイマー３４を起動させる。タイマー開始信号を受信したタイマー３４は、２０ｍｓ計時し、計時が終了すると、制御部３０にタイマー終了信号を送信する。制御部３０は、タイマー終了信号を受信すると、Ｓ１０１に戻る。このＳ１０４の処理があることにより、制御部３０に負荷がかかるのを防ぐことが出来る。
【００８３】
図１３に戻って、全体処理の説明を再開する。図１３に示したように、Ｓ２では、制御部３０は、メモリカード４１に記憶されている複数の文書ファイル４１０から複数のタイトルデータ４１０Ｔを、メモリカードインターフェース４０を介して取得する。そして制御部３０は、取得したタイトルデータ４１０の一覧を作成する。制御部３０は、作成したタイトルデータ４１０Ｔの一覧をＲＡＭ３２に記憶させ、Ｓ３に移行する。
【００８４】
Ｓ３では、制御部３０は、Ｓ２においてＲＡＭ３２に記憶されたタイトルデータ４１０Ｔの一覧の先頭に配置されたタイトルデータ４１０Ｔに対してカーソルを設定し、Ｓ４に移行する。
【００８５】
Ｓ４では、制御部３０は、タイトルデータ４１０Ｔの一覧に基づいてタイトルの一覧を表示させる。表示部１０には、タイトルの一覧が表示される。尚、カーソルが設定されたタイトルデータ４１０Ｔに対応するタイトルは、カーソルに囲まれているように表示される。そして、制御部３０は、Ｓ５に移行する。制御部３０はタイトルの一覧を表示させる際、書換モードを通常書換モードに設定し、書換モードデータを作成する。書換モードデータとは、通常書換モードか高速書換モードが指定された書換モードを示すデータである。制御部３０は、タイトルデータ４１０Ｔの一覧の画像データを作成する。制御部３０は、作成したタイトルデータ４１０Ｔの一覧の画像データと現表示色データＤ１とから画素毎に書換前の色と書換後の色とを示した差分データを作る。制御部３０は、書換モードデータと差分データとを表示コントローラ５０に送信する。さらに制御部３０は、現表示色データＤ１を書換後の色のデータに書き換える。書換モードデータと差分データとを受信した表示コントローラ５０は、波形記憶部６０から通常書換波形データを読み出す。次に、表示コントローラ５０は、読み出した通常書換波形データに従い、ゲートドライバ１６及びソースドライバ１７を制御する。通常書換波形データに従う電圧が、各画素電極１２に印加される。表示部１０の色が書き換えられる。
【００８６】
Ｓ５では、制御部３０は、入力キーデータ取得処理を開始する。制御部３０は、入力キーデータ取得処理を終えると、Ｓ６に移行する。入力キーデータ取得処理は後述するが、書換指示記憶部３２１に記憶されている入力キーデータを表示データ記憶部３２２に取得する処理である。制御部３０は、入力キーデータを表示データ記憶部３２２に取得すると、Ｓ６に移行する。
【００８７】
図１５に示したフローチャートに従い、入力キーデータ取得処理を説明する。図１５に示したようにＳ２０１では、書換指示記憶部３２１に記憶された入力キーデータを書換指示記憶部３２１から表示データ記憶部３２２に取得し、Ｓ２０２に移行する。
【００８８】
Ｓ２０２では、制御部３０は、入力キーデータが書換指示記憶部３２１のキーバッファ１に記憶されているかを判断する。入力キーデータが書換指示記憶部３２１に記憶されていると判断した場合（Ｓ２０２：Ｙｅｓ）は、書換指示記憶部３２１のキーバッファ１に記憶されている入力キーデータを読み取り、Ｓ２０３以下の処理に移行する。入力キーデータが書換指示記憶部３２１に記憶されていないと判断した場合（Ｓ２０２：Ｎｏ）は、Ｓ２０１に戻る。
【００８９】
Ｓ２０３では、制御部３０は、書換指示記憶部３２１のキーバッファ１に記憶された入力キーデータをキーバッファ１から削除する。次に、制御部３０は、入力キーデータがキーバッファ２に記憶されていれば、この入力キーデータをキーバッファ１に移す。次に、制御部３０は入力キーデータがキーバッファ３に記憶されていれば、この入力キーデータをキーバッファ２に移し、処理を抜ける。
【００９０】
図１３に示したように、Ｓ６では、制御部３０は、Ｓ２０２において表示データ記憶部３２２に読み取った入力キーデータが次キーデータであるかを判断する。Ｓ２０２において読み取った入力キーデータが次キーデータであると判断した場合は（Ｓ６：Ｙｅｓ）、Ｓ７に移行する。Ｓ２０２において読み取った入力キーデータが次キーデータでないと判断した場合は（Ｓ６：Ｎｏ）、Ｓ８に移行する。
【００９１】
Ｓ７では、制御部３０は、タイトルの一覧の中のいずれか１つのタイトルに設定されていたカーソルを次のタイトルデータ４１０Ｔに設定し、Ｓ４の処理に戻る。
【００９２】
Ｓ８では、制御部３０は、Ｓ２０２において読み取った入力キーデータが、前キーデータであるかを判断する。Ｓ２０２において読み取った入力キーデータが前キーデータであると判断した場合は（Ｓ８：Ｙｅｓ）、Ｓ９に移行する。Ｓ２０２において読み取った入力キーデータが前キーデータでないと判断した場合は（Ｓ８：Ｎｏ）、Ｓ１０に移行する。
【００９３】
Ｓ９では、制御部３０は、タイトルの一覧の中の１つのタイトルに設定されていたカーソルを前のタイトルデータ４１０Ｔに設定し、Ｓ４の処理に戻る。
【００９４】
Ｓ１０では、制御部３０は、Ｓ２０２において読み取った入力キーデータが決定キーデータであるかを判断する。Ｓ２０２において読み取った入力キーデータが決定キーデータであると判断した場合は（Ｓ１０：Ｙｅｓ）、Ｓ２０に移行する。Ｓ２０２において読み取った入力キーデータが決定キーデータでないと判断した場合は（Ｓ１０：Ｎｏ）、Ｓ４に戻る。
【００９５】
Ｓ２０以降の処理を図１６に示したフローチャートに従い、説明する。Ｓ２０では、制御部３０は、Ｓ１０において、決定キーが入力された時点でのカーソルが配置されたタイトルデータと関連付けられた文書ファイル４１０から最後のページのページ番号データを取得し、表示データ記憶部３２２に記憶する。
【００９６】
Ｓ２１では、制御部３０は、現在ページのページ番号を「１」としてＲＡＭ３２に記憶する。現在ページとは、表示部１０に現在表示されているページ画像データに関連付けられたページ番号データである。制御部３０は、Ｓ１０において、決定キーが入力された時点でのカーソルが配置されたタイトルデータ４１０Ｔと関連付けられた文書ファイル４１０からページ１画像データ４１１Ｃをメモリカード４１から取得する。次に、制御部３０は、取得したページ１画像データを表示データ記憶部３２２に記憶する。次に、制御部３０は、取得したページ画像データと現表示色データＤ１とから画素毎に書換前の色と書換後の色とを示した差分データを作る。次に制御部３０は書換モードを通常書換モードに設定する。制御部３０は、書換モードデータと差分データとを表示コントローラ５０に送信し、Ｓ２２に移行する。さらに制御部３０は、現表示色データＤ１を書換後の色のデータに書き換える。書換モードデータと差分データとを受信した表示コントローラ５０は、波形記憶部６０から通常書換波形データを読み出す。次に、表示コントローラ５０は、読み出した通常書換波形データに従い、ゲートドライバ１６及びソースドライバ１７を制御する。通常書換波形データに従う電圧が、各画素電極１２に印加される。表示部１０の色が書き換えられる。
【００９７】
Ｓ２２では、制御部３０は、入力キーデータ取得処理を開始する。制御部３０は、入力キーデータ取得処理を終えると、Ｓ２３に移行する。
【００９８】
Ｓ２３では、制御部３０は、Ｓ２０２において読み取った入力キーデータが次キーデータであるか判断する。Ｓ２０２において読み取った入力キーデータが次キーデータであると判断した場合（Ｓ２３：Ｙｅｓ）は、Ｓ２４に移行する。Ｓ２０２において読み取った入力キーデータが次キーデータでないと判断した場合（Ｓ２３：Ｎｏ）は、Ｓ２９に移行する。
【００９９】
Ｓ２４では、制御部３０は、次ページ書換イベントをキーイベントとして設定し、Ｓ２５に移行する。次ページ書換イベントとは、現在表示されているページを次のページに次書き換えるイベントである
Ｓ２５では、制御部３０は、現在ページの次のページ番号データをメモリカードインターフェース４０を介して取得し、Ｓ２６に移行する。
【０１００】
Ｓ２６では、制御部３０は、現在ページの次のページ番号データがメモリカード４１に記憶されているかを判断する。つまり、現在ページがその文書ファイルの最終ページ番号データであるかを判断する。現在ページの次のページ番号データがメモリカード４１に記憶されていると判断した場合（Ｓ２６：Ｙｅｓ）は、Ｓ２７に移行する。現在ページの次のページ番号データがメモリカード４１に記憶されていないと判断した場合（Ｓ２６：Ｎｏ）は、Ｓ２２に戻る。
【０１０１】
Ｓ２７では、制御部３０は、現在ページの次のページ番号データと関連付けられたページ画像データをメモリカード４１からメモリカードインターフェース４０を介して取得し、Ｓ２７に移行する。
【０１０２】
Ｓ２８では、制御部３０は、画像書換処理を開始する。画像書換処理が終了したら、Ｓ２２に戻る。
【０１０３】
以下、図１７に示したフローチャートに従って、画像書換処理を説明する。Ｓ３０１では、制御部３０は、入力キーデータが書換指示記憶部３２１に記憶されているかをチェックし、Ｓ３０２に移行する。
【０１０４】
Ｓ３０２では、制御部３０は、書換指示記憶部３２１に入力キーデータが記憶されているかを判断する。書換指示記憶部３２１に入力キーデータが記憶されていると判断した場合（Ｓ：３０２：Ｙｅｓ）は、Ｓ３０３に移行する。書換指示記憶部３２１に入力キーのデータが記憶されていないと判断した場合（Ｓ３０２：Ｎｏ）は、Ｓ３０７に移行する。
【０１０５】
Ｓ３０３では、制御部３０は、キーイベントが次ページ書換イベントかを判断する。キーイベントが次ページ書換イベントであると判断した場合（Ｓ３０３：Ｙｅｓ）は、Ｓ３０４に移行する。キーイベントが次ページ書換イベントでないと判断した場合（Ｓ３０３：Ｎｏ）は、Ｓ３０８に移行する。
【０１０６】
Ｓ３０４では、制御部３０は、キーバッファ１に記憶されている入力キーデータが、次キーデータか判断する。キーバッファ１に記憶されている入力キーデータが、次キーデータであると判断した場合、Ｓ３０５に移行する。キーバッファ１に記憶されている入力キーデータが、次キーデータでないと判断した場合、Ｓ３０９に移行する。
【０１０７】
Ｓ３０５では、制御部３０は、高速書換モードを書換モードに設定し、書換モードデータを作成する。そして、Ｓ３０６に移行する。
【０１０８】
Ｓ３０６では、制御部３０は、キーイベントに設定された次ページ書換指示または前ページ書換指示に従い、現在ページの次のページ番号データに関連付けられたページ画像データまたは現在ページの前のページ番号データに関連付けられたページ画像データをメモリカードインタフェース４０を介して、メモリカード４０から取得する。取得したページ画像データと現表示色データＤ１とから画素毎に書換前の色と書換後の色とを示した差分データを作る。制御部３０は、書換モードデータと差分データとを表示コントローラ５０に送信する。さらに制御部３０は、現表示色データＤ１を書換後の色のデータに書き換える。書換モードデータと差分データとを受信した表示コントローラ５０は、波形記憶部６０から通常書換波形データを読み出す。次に、表示コントローラ５０は、読み出した通常書換波形データに従い、ゲートドライバ１６及びソースドライバ１７を制御する。通常書換波形データに従う電圧が、各画素電極１２に印加され、表示部１０の色が書き換えられる。そして、制御部３０は、画面書換処理を抜ける。尚、Ｓ３０６が本発明の書換ステップの一例である。
【０１０９】
Ｓ３０７では、制御部３０は、通常書換モードを書換モードに設定し、書換モードデータを作成する。そして、Ｓ３０６に移行する。尚、Ｓ３０１〜Ｓ３０５、Ｓ３０７が本発明の波形判断ステップである。
【０１１０】
Ｓ３０８では、制御部３０は、キーバッファ１に記憶されている入力キーデータが、前キーデータか判断する。キーバッファ１に記憶されている入力キーデータが、前キーデータであると判断した場合、Ｓ３０５に移行する。キーバッファ１に記憶されている入力キーデータが、前キーデータでないと判断した場合、Ｓ３０９に移行する。
【０１１１】
Ｓ３０９では、制御部３０は、キーイベントに設定された次ページ書換イベントまたは前ページ書換イベントを削除し、画面書換処理を抜ける。
【０１１２】
Ｓ２９では、制御部３０は、Ｓ２０２において読み取った入力キーデータが前キーデータであるか判断する。Ｓ２０２において読み取った入力キーデータが前キーデータであると判断した場合（Ｓ２９：Ｙｅｓ）は、Ｓ３０に移行する。Ｓ２０２において読み取った入力キーデータが前キーデータでないと判断した場合（Ｓ２９：Ｎｏ）は、Ｓ３３に移行する。
【０１１３】
Ｓ３０では、制御部３０は、前ページ書換イベントをキーイベントとして設定し、Ｓ３１に移行する。前ページ書換イベントとは、現在表示されているページを前のページに書き換えるイベントである。
【０１１４】
Ｓ３１では、制御部３０は、現在ページの前のページ番号データをメモリカードインターフェース４０を介して取得し、Ｓ３２に移行する。
【０１１５】
Ｓ３２では、制御部３０は、現在ページの前のページ番号データがメモリカード４１に記憶されているかを判断する。つまり、現在ページがその文書ファイルの先頭ページ番号データであるかを判断する。現在ページの前のページ番号データがメモリカード４１に記憶されていると判断した場合（Ｓ３２：Ｙｅｓ）は、Ｓ２７に移行する。現在ページの前のページ番号データがメモリカード４１に記憶されていないと判断した場合（Ｓ３２：Ｎｏ）は、Ｓ２２に戻る。
【０１１６】
Ｓ３３では、制御部３０は、Ｓ２０２において読み取った入力キーデータが閉じるキーデータであるか判断する。Ｓ２０２において読み取った入力キーデータが閉じるキーデータであると判断した場合（Ｓ３３：Ｙｅｓ）は、Ｓ２に移行する。Ｓ２０２において読み取った入力キーデータが閉じるキーデータでないと判断した場合（Ｓ３３：Ｎｏ）は、Ｓ３４に移行する。
【０１１７】
Ｓ３４では、制御部３０は、入力キーデータが、電源キーデータかメニューキーデータか選択キーデータであると判断する。制御部３０は、Ｓ３４において判断した入力キーデータに応じた処理を行い、Ｓ２２に戻る。この詳細な処理は本発明とは関係ないので説明を省略する。
【０１１８】
第１変化曲線Ｌ１の全長は第２変化曲線Ｌ２の全長よりも長い。従って、表示部１０に表示されている色が通常書換波形に従って書き換えられた場合は、表示部１０に表示されていた色の残像が消されることになる。第２変化曲線Ｌ２の全長は第１変化曲線Ｌ１の全長よりも短い。従って、表示部１０に表示されている色が高速書換波形に従って書き換えられた場合は、黒色帯電粒子１３Ｂ及び、白色帯電粒子１３Ａの画素電極１２と透明電極１４の間における分布状態の変化による色のちらつきが、通常書換波形により色が書き換えられ場合よりも抑えられる。連続して書換指示が入力部に入力された場合、通常書換波形に従い、色を書き換える回数を減らすことが出来る。これにより、黒色帯電粒子１３Ｂ及び、白色帯電粒子１３Ａの画素電極１２と透明電極１４の間における分布状態の変化による色のちらつきを抑えることが出来る。入力キーデータが連続して入力された場合、制御部３０は、連続して入力された入力キーデータの内、最後に入力された入力キーデータ以外の入力キーデータに従い、色のちらつきが抑えられる高速書換で色を書き換える。制御部３０は、連続して入力された入力キーデータの内、最後に入力された入力キーデータに従い、残像が消される通常書換波形で色を書き換える。よって、連続して入力キーデータが入力部２０に入力された場合、通常書換波形に従い、色を書き換える回数を減らすことが出来る。これにより、黒色帯電粒子１３Ｂ及び、白色帯電粒子１３Ａの画素電極１２と透明電極１４との間における分布状態の変化による色のちらつきを抑えることが出来る。
【０１１９】
制御部３０は、キーイベントに設定された入力キーデータが次キーデータであると判断する。制御部３０が判断した入力キーデータの次に入力された入力キーデータが前ページキーデータであると判断する場合がある。制御部３０は、キーイベントに設定された入力キーデータが前キーデータであると判断する。制御部３０が判断した入力キーデータの次に入力された入力キーデータが前キーデータであると判断する場合がある。この２つの場合において、制御部３０は、キーイベントに設定された入力キーデータに従い表示部１０に表示されている色を書き換えることを中止させる。従って、高速書換波形で色を書き換える回数を減らすことが出来る。これにより、これにより、黒色帯電粒子１３Ｂ及び、白色帯電粒子１３Ａの画素電極１２と透明電極１４との間における分布状態の変化による色のちらつきを抑えることが出来る。
【０１２０】
高速書換波形に従い、色が書き換えられる時間は、通常書換波形に従い、色が書き換えられる時間よりも短い。従って、入力部２０に連続して入力された入力キーデータの内、最後の入力キーデータに従い、書き換えられる色が表示されるまでの時間を短くすることが出来る。
【０１２１】
なお、この発明は上記の実施例や実施形態に限られるものではなく、その要旨を逸脱しない範囲において種々の態様において実施することが可能であり、例えば次のような変形も可能である。
【０１２２】
本実施形態では明度の変化を基準に色のちらつきを定義した。輝度の変化を基準に色のちらつきが定義されてもよい。輝度が用いられた場合、ユーザが表示装置１を４００ルクスの明るさで見たときは、隣接する階調の色の間隔は約５ｃｄ／ｍ２である。通常書換波形で表示部１０に表示される色が書き換えられたときは、第１反転量Ｒ１と、第２反転量Ｒ２とは５ｃｄ／ｍ２以上であってもよい。高速書換波形で表示部１０に表示される色が書き換えられたときは、第３反転量Ｒ３は５ｃｄ／ｍ２未満であるとよい。
【０１２３】
本実施形態では明度の変化を基準に色のちらつきを定義した。コントラストの変化を基準に色のちらつきが定義されてもよい。コントラストは白の輝度を黒の輝度で除した値で計算される。
【０１２４】
本実施形態では、第１書換過程により色が書き換えられる時間は第２書換過程により色が書き換えられる時間よりも短くてもよい。第１書換過程により色が書き換えられる時間は第２書換過程により色が書き換えられる時間と同じでもよい。
【０１２５】
本実施形態では、表示部１０はアクティブマトリクス方式であったが、パッシブマトリクス方式で構成されていてもよい。
【０１２６】
本実施形態では「白色」から「白色」へ表示部１０の色が書き換わる過程と、「白色」から「黒色」へ表示部１０の色が書き換わる過程と、「白色」から「ライトグレイ４」へ表示部１０の色が書き換わる過程と、「白色」から「ダークグレイ７」へ表示部１０の色が書き換わる過程と、を説明した。これに限られず、表示部１０に表示される色が書き換えられる過程であればよい。具体的には、「黒色」から「白色」へ書き換えられる過程と、「黒色」から「黒色」へ書き換えられる過程と、「黒色」から「ライトグレイ４」へ書き換えられる過程と、「黒色」から「ダークグレイ７」へ書き換えられる過程と、「ライトグレイ４」から「白色」へ書き換えられる過程と、「ライトグレイ４」から「黒色」へ書き換えられる過程と、「ライトグレイ４」から「ライトグレイ４」へ書き換えられる過程と、「ライトグレイ４」から「ダークグレイ７」へ書き換えられる過程と、「ダークグレイ７」から「白色」へ書き換えられる過程と、「ダークグレイ７」から「黒色」へ書き換えられる過程と、「ダークグレイ７」から「ライトグレイ４」へ書き換えられる過程と、「ダークグレイ７」から「ダークグレイ７」へ書き換えられる過程と、がある。
【符号の説明】
【０１２７】
１      表示装置
１０    表示部
１２    画素電極
１３    マイクロカプセル
１３Ａ  白色帯電粒子
１３Ｂ  黒色帯電粒子
１４    透明電極
２０    入力部
２１    電源キー
２２    入力キー
２５    前キー
２６    次キー
３０    制御部
３１    ＣＰＵ
３２    ＲＡＭ
３２１  書換指示記憶部
３３    ＲＯＭ
３４    タイマー
４０    メモリカードインタフェース
４１    メモリカード
４１０  文書ファイル
５０    表示コントローラ
６０    波形記憶部
Ｐ１    全体処理プログラム
Ｐ２    入力キーデータ取得タスクプログラム
Ｌ１    第１変化曲線
Ｌ２    第２変化曲線
【図１】
2011215289.tif 000006
【図２】
2011215289.tif 000007
【図３】
2011215289.tif 000008
【図４】
2011215289.tif 000009
【図５】
2011215289.tif 000010
【図６】
2011215289.tif 000011
【図７】
2011215289.tif 000012
【図８】
2011215289.tif 000013
【図９】
2011215289.tif 000014
【図１０】
2011215289.tif 000015
【図１１】
2011215289.tif 000016
【図１２】
2011215289.tif 000017
【図１３】
2011215289.tif 000018
【図１４】
2011215289.tif 000019
【図１５】
2011215289.tif 000020
【図１６】
2011215289.tif 000021
【図１７】
2011215289.tif 000022